(57)【要約】【課題】本発明は、表示形態を変更する際の視認性を向上させることが可能な表示制御装置、表示制御方法、および表示制御システムを提供することを目的とする。【解決手段】本発明による表示制御装置１は、第１の計測描画オブジェクトと第２の計測描画オブジェクトとを生成する計測描画オブジェクト生成部２と、第１の表示形態、第２の表示形態、および中間表示形態のうちのいずれかの表示形態となるように計測描画オブジェクト生成部２を制御する全体制御部３とを備え、全体制御部３は、予め定められた条件に応じて、中間表示形態において、第１の計測描画オブジェクトと第２の計測描画オブジェクトとを生成した後、第２の計測描画オブジェクトが第１の計測描画オブジェクトを表示領域外に押し出すか、または第１の計測描画オブジェクトが第２の計測描画オブジェクトを表示領域外に押し出すように計測描画オブジェクト生成部を制御することを特徴とする。【選択図】図１
2015120404.tif 000002
【特許請求の範囲】
【請求項１】
自車両の走行に関する計測情報を示す第１の計測描画オブジェクトと、前記第１の計測描画オブジェクトと同一の前記計測情報であって、前記第１の計測描画オブジェクトとは異なる表現形式の第２の計測描画オブジェクトとを生成する計測描画オブジェクト生成部と、
前記第１の計測描画オブジェクトを表示する第１の表示形態、前記第２の計測描画オブジェクトを表示する第２の表示形態、および前記第１の表示形態と前記第２の表示形態との間における遷移中の形態である中間表示形態のうちのいずれかの表示形態となるように前記計測描画オブジェクト生成部を制御する制御部と、
を備え、
前記制御部は、予め定められた条件に応じて、前記中間表示形態において、前記第１の計測描画オブジェクトと前記第２の計測描画オブジェクトとを生成した後、前記第２の計測描画オブジェクトが前記第１の計測描画オブジェクトを表示領域外に押し出すか、または前記第１の計測描画オブジェクトが前記第２の計測描画オブジェクトを前記表示領域外に押し出すように前記計測描画オブジェクト生成部を制御することを特徴とする、表示制御装置。
【請求項２】
前記計測情報以外の情報を示す情報画像を生成する情報画像生成部と、
前記情報画像生成部にて生成された前記情報画像と、前記計測描画オブジェクト生成部にて生成された前記第１の計測描画オブジェクトおよび前記第２の計測描画オブジェクトのうちの少なくとも１つとを合成する画像合成部と、
を備えることを特徴とする、請求項１に記載の表示制御装置。
【請求項３】
前記制御部は、前記予め定められた条件として前記情報画像生成部が前記情報画像を生成したとき、前記中間表示形態において、前記第１の計測描画オブジェクトと前記第２の計測描画オブジェクトとを生成するように前記計測描画オブジェクト生成部を制御することを特徴とする、請求項２に記載の表示制御装置。
【請求項４】
前記制御部は、前記中間表示形態において、前記第１の計測描画オブジェクトおよび前記第２の計測描画オブジェクトのうち、前記表示領域外に押し出す方を前記表示領域外に押し出される方よりも前記表示領域の内側に位置するように前記計測描画オブジェクト生成部を制御することを特徴とする、請求項１から３のいずれか１項に記載の表示制御装置。
【請求項５】
前記制御部は、前記中間表示形態において、前記計測情報の内容に応じて前記押し出す方向を変更するように前記計測描画オブジェクト生成部を制御することを特徴とする、請求項１から４のいずれか１項に記載の表示制御装置。
【請求項６】
前記第１の計測描画オブジェクトは、前記計測情報をその中に表現する外形枠を有することを特徴とする、請求項１から５のいずれか１項に記載の表示制御装置。
【請求項７】
前記制御部は、前記中間表示形態において、前記第１の計測描画オブジェクトの前記外形枠内を無模様とするように前記計測描画オブジェクト生成部を制御することを特徴とする、請求項６に記載の表示制御装置。
【請求項８】
前記制御部は、前記中間表示形態において、前記第１の計測描画オブジェクトの前記外形枠に対して予め定められた変形を加えるように前記計測描画オブジェクト生成部を制御することを特徴とする、請求項６または７に記載の表示制御装置。
【請求項９】
前記第１の計測描画オブジェクトはアナログメータを示し、前記第２の計測描画オブジェクトはデジタルメータを示し、前記第１の計測描画オブジェクトの前記外形枠は前記アナログメータの外形を示すことを特徴とする、請求項６から８のいずれか１項に記載の表示制御装置。
【請求項１０】
前記制御部は、前記中間表示形態において、前記アナログメータの外形を徐々に縮小するように前記計測描画オブジェクト生成部を制御することを特徴とする、請求項９に記載の表示制御装置。
【請求項１１】
前記計測情報以外の情報は、カメラによって撮影された映像に関する情報、あるいは予め定められた自車両内イベントに関する情報であることを特徴とする、請求項２から１０のいずれか１項に記載の表示制御装置。
【請求項１２】
前記自車両内イベントは、警報表示または電話の着信であることを特徴とする、請求項１１に記載の表示制御装置。
【請求項１３】
前記計測情報以外の情報は、前記自車両を経路誘導する経路誘導に関する情報であることを特徴とする、請求項２から１０のいずれか１項に記載の表示制御装置。
【請求項１４】
前記経路誘導に関する情報は、地図に関する情報を含むことを特徴とする、請求項１３に記載の表示制御装置。
【請求項１５】
（ａ）自車両の走行に関する計測情報を示す第１の計測描画オブジェクトと、前記第１の計測描画オブジェクトと同一の前記計測情報であって、前記第１の計測描画オブジェクトとは異なる表現形式の第２の計測描画オブジェクトとを生成する工程と、
（ｂ）前記第１の計測描画オブジェクトを表示する第１の表示形態、前記第２の計測描画オブジェクトを表示する第２の表示形態、および前記第１の表示形態と前記第２の表示形態との間における遷移中の形態である中間表示形態のうちのいずれかの表示形態となるように前記工程（ａ）を制御する工程と、
を備え、
前記工程（ｂ）は、予め定められた条件に応じて、前記中間表示形態において、前記第１の計測描画オブジェクトと前記第２の計測描画オブジェクトとを生成した後、前記第２の計測描画オブジェクトが前記第１の計測描画オブジェクトを表示領域外に押し出すか、または前記第１の計測描画オブジェクトが前記第２の計測描画オブジェクトを前記表示領域外に押し出すように前記工程（ａ）を制御することを特徴とする、表示制御方法。
【請求項１６】
表示装置と、当該表示装置に画像を表示するよう制御する表示制御装置とを備える表示制御システムであって、
前記表示制御装置は、
自車両の走行に関する計測情報を示す第１の計測描画オブジェクトと、前記第１の計測描画オブジェクトと同一の前記計測情報であって、前記第１の計測描画オブジェクトとは異なる表現形式の第２の計測描画オブジェクトとを生成する計測描画オブジェクト生成部と、
前記第１の計測描画オブジェクトを表示する第１の表示形態、前記第２の計測描画オブジェクトを表示する第２の表示形態、および前記第１の表示形態と前記第２の表示形態との間における遷移中の形態である中間表示形態のうちのいずれかの表示形態となるように前記計測描画オブジェクト生成部を制御する制御部と、
を備え、
前記制御部は、予め定められた条件に応じて、前記中間表示形態において、前記第１の計測描画オブジェクトと前記第２の計測描画オブジェクトとを生成した後、前記第２の計測描画オブジェクトが前記第１の計測描画オブジェクトを表示領域外に押し出すか、または前記第１の計測描画オブジェクトが前記第２の計測描画オブジェクトを前記表示領域外に押し出すように前記計測描画オブジェクト生成部を制御することを特徴とする、表示制御システム。
【発明の詳細な説明】
【技術分野】
【０００１】
本発明は、車載の表示装置に対する情報の表示制御を行う表示制御装置、表示制御方法、および表示制御システムに関する。
【背景技術】
【０００２】
車両のインストルメントパネル部に設けられたメータパネルの表示画面に対して、例えば、カメラで撮影した映像やナビゲーション画面を表示する表示装置が知られている。このような表示装置では、通常は、自車両の走行に関する情報（例えば、速度情報など）をアナログメータで表示しているが、映像やナビゲーション画面を表示する際には、当該映像やナビゲーション画面の表示領域を確保するために、アナログメータよりも表示領域が小さいデジタルメータに表示形態を変更している。
【０００３】
しかし、上記の表示装置では、アナログメータからデジタルメータに突然表示形態を変更するため、当該変更を運転者が瞬時に認知するのが難しいという問題があった。
【０００４】
このような問題の対策として、従来では、アナログメータからデジタルメータに表示形態を変更する際の中間表示形態として、アナログメータとデジタルメータとを混在させて表示する技術が開示されている（例えば、特許文献１〜３参照）。
【先行技術文献】
【特許文献】
【０００５】
【特許文献１】特許第４４４２６７２号公報
【特許文献２】特開２０１０−３０３３０号公報
【特許文献３】特開２００８−２６７８８０号公報
【発明の概要】
【発明が解決しようとする課題】
【０００６】
特許文献１〜３では、中間表示形態でアナログメータとデジタルメータとを近接して混在させることによって、アナログメータとデジタルメータとの対応付けを行っているが、２つの異なる表現形式のメータが近接して混在すると、運転者にとってはかえって視認性が悪くなるという問題があった。すなわち、従来では、表示形態を変更する際の視認性を向上させているとはいえなかった。
【０００７】
本発明は、これらの問題を解決するためになされたものであり、表示形態を変更する際の視認性を向上させることが可能な表示制御装置、表示制御方法、および表示制御システムを提供することを目的とする。
【課題を解決するための手段】
【０００８】
上記の課題を解決するために、本発明による表示制御装置は、自車両の走行に関する計測情報を示す第１の計測描画オブジェクトと、第１の計測描画オブジェクトと同一の計測情報であって、第１の計測描画オブジェクトとは異なる表現形式の第２の計測描画オブジェクトとを生成する計測描画オブジェクト生成部と、第１の計測描画オブジェクトを表示する第１の表示形態、第２の計測描画オブジェクトを表示する第２の表示形態、および第１の表示形態と第２の表示形態との間における遷移中の形態である中間表示形態のうちのいずれかの表示形態となるように計測描画オブジェクト生成部を制御する制御部とを備え、制御部は、予め定められた条件に応じて、中間表示形態において、第１の計測描画オブジェクトと第２の計測描画オブジェクトとを生成した後、第２の計測描画オブジェクトが第１の計測描画オブジェクトを表示領域外に押し出すか、または第１の計測描画オブジェクトが第２の計測描画オブジェクトを表示領域外に押し出すように計測描画オブジェクト生成部を制御することを特徴とする。
【０００９】
また、本発明による表示制御方法は、（ａ）自車両の走行に関する計測情報を示す第１の計測描画オブジェクトと、第１の計測描画オブジェクトと同一の計測情報であって、第１の計測描画オブジェクトとは異なる表現形式の第２の計測描画オブジェクトとを生成する工程と、（ｂ）第１の計測描画オブジェクトを表示する第１の表示形態、第２の計測描画オブジェクトを表示する第２の表示形態、および第１の表示形態と第２の表示形態との間における遷移中の形態である中間表示形態のうちのいずれかの表示形態となるように工程（ａ）を制御する工程とを備え、工程（ｂ）は、予め定められた条件に応じて、中間表示形態において、第１の計測描画オブジェクトと第２の計測描画オブジェクトとを生成した後、第２の計測描画オブジェクトが第１の計測描画オブジェクトを表示領域外に押し出すか、または第１の計測描画オブジェクトが第２の計測描画オブジェクトを表示領域外に押し出すように工程（ａ）を制御することを特徴とする。
【００１０】
また、本発明による表示制御システムは、表示装置と、当該表示装置に画像を表示するよう制御する表示制御装置とを備える表示制御システムであって、表示制御装置は、自車両の走行に関する計測情報を示す第１の計測描画オブジェクトと、第１の計測描画オブジェクトと同一の計測情報であって、第１の計測描画オブジェクトとは異なる表現形式の第２の計測描画オブジェクトとを生成する計測描画オブジェクト生成部と、第１の計測描画オブジェクトを表示する第１の表示形態、第２の計測描画オブジェクトを表示する第２の表示形態、および第１の表示形態と第２の表示形態との間における遷移中の形態である中間表示形態のうちのいずれかの表示形態となるように計測描画オブジェクト生成部を制御する制御部とを備え、制御部は、予め定められた条件に応じて、中間表示形態において、第１の計測描画オブジェクトと第２の計測描画オブジェクトとを生成した後、第２の計測描画オブジェクトが第１の計測描画オブジェクトを表示領域外に押し出すか、または第１の計測描画オブジェクトが第２の計測描画オブジェクトを表示領域外に押し出すように計測描画オブジェクト生成部を制御することを特徴とする。
【発明の効果】
【００１１】
本発明によると、表示制御装置は、自車両の走行に関する計測情報を示す第１の計測描画オブジェクトと、第１の計測描画オブジェクトと同一の計測情報であって、第１の計測描画オブジェクトとは異なる表現形式の第２の計測描画オブジェクトとを生成する計測描画オブジェクト生成部と、第１の計測描画オブジェクトを表示する第１の表示形態、第２の計測描画オブジェクトを表示する第２の表示形態、および第１の表示形態と第２の表示形態との間における遷移中の形態である中間表示形態のうちのいずれかの表示形態となるように計測描画オブジェクト生成部を制御する制御部とを備え、制御部は、予め定められた条件に応じて、中間表示形態において、第１の計測描画オブジェクトと第２の計測描画オブジェクトとを生成した後、第２の計測描画オブジェクトが第１の計測描画オブジェクトを表示領域外に押し出すか、または第１の計測描画オブジェクトが第２の計測描画オブジェクトを表示領域外に押し出すように計測描画オブジェクト生成部を制御するため、表示形態を変更する際の視認性を向上させることが可能となる。
【００１２】
また、表示制御方法は、（ａ）自車両の走行に関する計測情報を示す第１の計測描画オブジェクトと、第１の計測描画オブジェクトと同一の計測情報であって、第１の計測描画オブジェクトとは異なる表現形式の第２の計測描画オブジェクトとを生成する工程と、（ｂ）第１の計測描画オブジェクトを表示する第１の表示形態、第２の計測描画オブジェクトを表示する第２の表示形態、および第１の表示形態と第２の表示形態との間における遷移中の形態である中間表示形態のうちのいずれかの表示形態となるように工程（ａ）を制御する工程とを備え、工程（ｂ）は、予め定められた条件に応じて、中間表示形態において、第１の計測描画オブジェクトと第２の計測描画オブジェクトとを生成した後、第２の計測描画オブジェクトが第１の計測描画オブジェクトを表示領域外に押し出すか、または第１の計測描画オブジェクトが第２の計測描画オブジェクトを表示領域外に押し出すように工程（ａ）を制御するため、表示形態を変更する際の視認性を向上させることが可能となる。
【００１３】
また、表示制御システムは、表示装置と、当該表示装置に画像を表示するよう制御する表示制御装置とを備える表示制御システムであって、表示制御装置は、自車両の走行に関する計測情報を示す第１の計測描画オブジェクトと、第１の計測描画オブジェクトと同一の計測情報であって、第１の計測描画オブジェクトとは異なる表現形式の第２の計測描画オブジェクトとを生成する計測描画オブジェクト生成部と、第１の計測描画オブジェクトを表示する第１の表示形態、第２の計測描画オブジェクトを表示する第２の表示形態、および第１の表示形態と第２の表示形態との間における遷移中の形態である中間表示形態のうちのいずれかの表示形態となるように計測描画オブジェクト生成部を制御する制御部とを備え、制御部は、予め定められた条件に応じて、中間表示形態において、第１の計測描画オブジェクトと第２の計測描画オブジェクトとを生成した後、第２の計測描画オブジェクトが第１の計測描画オブジェクトを表示領域外に押し出すか、または第１の計測描画オブジェクトが第２の計測描画オブジェクトを表示領域外に押し出すように計測描画オブジェクト生成部を制御するため、表示形態を変更する際の視認性を向上させることが可能となる。
【図面の簡単な説明】
【００１４】
【図１】本発明の実施の形態による表示制御装置の構成の一例を示すブロック図である。
【図２】本発明の実施の形態による表示制御装置の構成の他の一例を示すブロック図である。
【図３】本発明の実施の形態による表示制御装置の動作の一例を示すフローチャートである。
【図４】本発明の実施の形態による表示制御装置の表示の一例を示す図である。
【図５】本発明の実施の形態による表示制御装置の表示の一例を示す図である。
【図６】本発明の実施の形態による表示制御装置の表示の一例を示す図である。
【図７】本発明の実施の形態による表示制御装置の表示の一例を示す図である。
【図８】本発明の実施の形態による表示制御装置の表示の一例を示す図である。
【図９】本発明の実施の形態による表示制御装置の動作の一例を示すフローチャートである。
【図１０】本発明の実施の形態による表示制御装置の表示の一例を示す図である。
【図１１】本発明の実施の形態による表示制御装置の表示の一例を示す図である。
【図１２】本発明の実施の形態による表示制御装置の表示の一例を示す図である。
【図１３】本発明の実施の形態による表示制御装置の表示の一例を示す図である。
【図１４】本発明の実施の形態による表示制御装置の表示の一例を示す図である。
【図１５】本発明の実施の形態による表示制御装置の表示の一例を示す図である。
【図１６】本発明の実施の形態による表示制御装置の表示の一例を示す図である。
【図１７】本発明の実施の形態による表示制御装置の表示の一例を示す図である。
【図１８】本発明の実施の形態による表示制御装置の表示の一例を示す図である。
【図１９】本発明の実施の形態による表示制御装置の表示の一例を示す図である。
【図２０】本発明の実施の形態による表示制御装置の表示の一例を示す図である。
【図２１】本発明の実施の形態による表示制御装置の表示の一例を示す図である。
【図２２】本発明の実施の形態による表示制御システムの構成の一例を示すブロック図である。
【発明を実施するための形態】
【００１５】
本発明の実施の形態について、図面に基づいて以下に説明する。
【００１６】
＜実施の形態＞
まず、本発明の実施の形態による表示制御装置の構成について説明する。
【００１７】
図１は、本実施の形態による表示制御装置１の構成の一例を示すブロック図である。なお、図１では、表示制御装置１を構成する必要最小限の構成要素を示している。
【００１８】
図１に示すように、表示制御装置１は、少なくとも計測描画オブジェクト生成部２と、全体制御部３とを備えている。
【００１９】
計測描画オブジェクト生成部２は、自車両の走行に関する計測情報を示す第１の計測描画オブジェクトと、第１の計測描画オブジェクトと同一の計測情報であって、第１の計測描画オブジェクトとは異なる表現形式の第２の計測描画オブジェクトとを生成する。
【００２０】
全体制御部３は、第１の計測描画オブジェクトを表示する第１の表示形態、第２の計測描画オブジェクトを表示する第２の表示形態、および第１の表示形態と第２の表示形態との間における遷移中の形態である中間表示形態のうちのいずれかの表示形態となるように計測描画オブジェクト生成部２を制御する。
【００２１】
また、全体制御部３は、予め定められた条件に応じて、中間表示形態において、第１の計測描画オブジェクトと第２の計測描画オブジェクトとを生成した後、第２の計測描画オブジェクトが第１の計測描画オブジェクトを表示領域外に押し出すか、または第１の計測描画オブジェクトが第２の計測描画オブジェクトを表示領域外に押し出すように計測描画オブジェクト生成部２を制御する。
【００２２】
次に、上記の計測描画オブジェクト生成部２および全体制御部３を含む表示制御装置１の他の構成について説明する。
【００２３】
なお、以下では、計測描画オブジェクト生成部２および全体制御部３については、上記の機能に対して追加された機能について説明する。
【００２４】
また、本実施の形態において、自車両は、少なくとも表示制御装置１が表示制御の対象としている表示部を備えているものとする。すなわち、表示制御装置１は、自車両内に搭載されていてもよく、自車両外に設けられていてもよい。
【００２５】
図２は、本実施の形態による表示制御装置１の構成の他の一例を示すブロック図である。
【００２６】
図２に示すように、表示制御装置１は、計測描画オブジェクト生成部２と、全体制御部３と、情報画像生成部４と、画像合成部５と、表示信号出力部６と、車両情報取得部７と、映像入力部８とを備えている。また、全体制御部３は操作入力部９に接続され、表示信号出力部６は表示部１０に接続され、映像入力部８はカメラ１１に接続されている。
【００２７】
計測描画オブジェクト生成部２は、車両情報取得部７が取得した計測情報に基づいて、第１の描画オブジェクトであるアナログメータと、第２の描画オブジェクトであるデジタルメータとを生成する。なお、計測情報に基づいて生成されるアナログメータおよびデジタルメータとしては、例えば、速度メータ、タコメータ、燃料計、水温計などが挙げられる。
【００２８】
車両情報取得部７は、車内ＬＡＮ（Local Area Network）を介して、自車両の走行に関する計測情報を含む種々の車両情報を取得する。
【００２９】
ここで、計測情報としては、例えば、速度に関する情報、車軸の回転数に関する情報、燃料に関する情報、あるいはエンジンの冷却水の温度に関する情報などが挙げられる。なお、これらの情報に限らず、自車両の走行時に計測される情報であればよい。
【００３０】
情報画像生成部４は、映像入力部８に入力された映像に基づいて情報画像を生成する。ここで、情報画像とは、自車両の走行に関する計測情報以外の情報を示す画像である。
【００３１】
映像入力部８は、カメラ１１によって撮影された映像を入力する。
【００３２】
カメラ１１は、自車両周辺を撮影する。例えば、自車両の前方を撮影するカメラであってもよく、自車両の後方を撮影するカメラであってもよい。
【００３３】
画像合成部５は、情報画像生成部４にて生成された情報画像と、計測描画オブジェクト生成部２にて生成されたアナログメータおよびデジタルメータのうちの少なくとも１つとを合成する。
【００３４】
全体制御部３は、予め定められた条件として情報画像生成部４が情報画像を生成したとき、中間表示形態において、アナログメータとデジタルメータとを生成するように計測描画オブジェクト生成部２を制御する。
【００３５】
表示信号出力部６は、画像合成部５にて合成された画像を表示信号として表示部１０に出力する。
【００３６】
表示部１０は、表示信号出力部６から入力された表示信号に基づいて、画像合成部５にて合成された画像を表示する。なお、表示部１０は、車両のインストルメントパネル部に設けられたメータパネルであってもよく、ＨＵＤ（Head-Up Display）であってもよい。
【００３７】
操作入力部９は、例えば、タッチパネルや機械的なスイッチなど、ユーザの操作を入力するものであればよい。
【００３８】
次に、表示制御装置１の動作について、図３〜８を参照して説明する。特に、アナログメータからデジタルメータに表示形態を変更する場合について説明する。なお、以下では、表示部１０はメータパネルであり、アナログメータおよびデジタルメータは速度メータであるものとする。
【００３９】
図３は、表示制御装置１の動作の一例を示すフローチャートである。
【００４０】
ステップＳ１１において、全体制御部３は、アナログメータを表示するアナログ表示形態（第１の表示形態）となるように計測描画オブジェクト生成部２を制御する。
【００４１】
計測描画オブジェクト生成部２は、車両情報取得部７から取得した計測情報に基づいてアナログメータを生成する。一方、情報画像生成部４は、予め定められた画像を生成する。ここで、予め定められた画像とは、表示部１０の表示領域内における予め定められた領域を、例えば予め定められた色で表示する、アナログメータの背景となる画像である。
【００４２】
画像合成部５は、計測描画オブジェクト生成部２にて生成されたアナログメータと、情報画像生成部４にて生成された予め定められた画像とを合成する。
【００４３】
図４は、画像合成部５にて合成された後の画像を表示部１０に表示したときの一例を示す図である。
【００４４】
図４に示すように、表示部１０には、矩形の予め定められた色表示よりなる予め定められた画像を背景として、アナログメータが表示される。
【００４５】
図３に戻り、ステップＳ１２において、全体制御部３は、情報表示の指示があるか否かを判断する。指示がある場合はステップＳ１３に移行する。一方、指示がない場合は処理を終了する（すなわち、表示部１０には、図４に示すようなアナログメータが表示された状態となる）。
【００４６】
具体的には、全体制御部３は、例えば、操作入力部９を介してユーザからカメラ１１によって撮影された映像を表示部１０に表示させる旨の指示があるか否かを判断する。なお、全体制御部３は、車両情報取得部７から自車両がバック（後進）する旨の情報を得たとき、情報表示の指示があると判断してもよい。この場合、表示部１０には、カメラ１１によって自車両後方を撮影した映像が表示されるようにしてもよい。
【００４７】
ステップＳ１３において、全体制御部３は、アナログメータとデジタルメータとを表示する中間表示形態となるように計測描画オブジェクト生成部２を制御する。また、全体制御部３は、中間表示形態において、デジタルメータがアナログメータを表示領域外に押し出すように計測描画オブジェクト生成部２を制御する。
【００４８】
計測描画オブジェクト生成部２は、車両情報取得部７から取得した計測情報に基づいて、アナログメータとデジタルメータとを生成した後、デジタルメータがアナログメータを表示領域外に押し出すようにアナログメータおよびデジタルメータの表示位置を変更する。一方、情報画像生成部４は、映像入力部８に入力された映像に基づいて情報画像を生成する（ここでは、カメラ１１が撮影した映像が情報画像となる）。
【００４９】
画像合成部５は、計測描画オブジェクト生成部２にて生成されたアナログメータおよびデジタルメータと、情報画像生成部４にて生成された情報画像（カメラ１１が撮影した映像）とを合成する。
【００５０】
図５〜７は、画像合成部５にて合成された後の画像を表示部１０に表示したときの一例を示す図である。
【００５１】
図５に示すように、表示部１０には、情報画像を背景として、アナログメータとデジタルメータ（「２０ｋｍ／ｈ」）とが表示される。このとき、アナログメータの表示位置は、図４のアナログメータの表示位置と一致しており、デジタルメータはアナログメータよりも表示領域の内側（紙面左側）に位置している。
【００５２】
次いで、図６に示すように、アナログメータおよびデジタルメータの表示位置は、図５のアナログメータおよびデジタルメータの表示位置よりも右側（紙面右側）に移動している。
【００５３】
次いで、図７に示すように、アナログメータおよびデジタルメータの表示位置は、図６のアナログメータおよびデジタルメータの表示位置よりも右側に移動している。このとき、アナログメータの一部（アナログメータの右部分）は、表示領域外に押し出されて非表示となっている。
【００５４】
図３に戻り、ステップＳ１４において、全体制御部３は、デジタルメータを表示するデジタル表示形態（第２の表示形態）となるように計測描画オブジェクト生成部２を制御する。
【００５５】
計測描画オブジェクト生成部２は、車両情報取得部７から取得した計測情報に基づいてデジタルメータを生成する。一方、情報画像生成部４は、映像入力部８に入力された映像に基づいて情報画像を生成する。
【００５６】
画像合成部５は、計測描画オブジェクト生成部２にて生成されたデジタルメータと、情報画像生成部４にて生成された情報画像とを合成する。
【００５７】
図８は、画像合成部５にて合成された後の画像を表示部１０に表示したときの一例を示す図である。
【００５８】
図８に示すように、表示部１０には、情報画像を背景として、デジタルメータが表示される。また、デジタルメータの表示位置は、図７のデジタルメータの表示位置よりも右側に移動している。
【００５９】
図３のステップＳ１４の後、処理を終了する（すなわち、表示部１０には、図８に示すようなデジタルメータが表示された状態となる）。
【００６０】
次に、デジタルメータからアナログメータに表示形態を変更する場合における表示制御装置１の動作について、図９〜１１を参照して説明する。
【００６１】
図９は、表示制御装置１の動作の一例を示すフローチャートである。
【００６２】
ステップＳ２１において、全体制御部３は、デジタルメータを表示するデジタル表示形態（第２の表示形態）となるように計測描画オブジェクト生成部２を制御する。
【００６３】
計測描画オブジェクト生成部２は、車両情報取得部７から取得した計測情報に基づいてデジタルメータを生成する。一方、情報画像生成部４は、映像入力部８から入力された映像に基づいて情報画像を生成する（ここでは、カメラ１１が撮影した映像が情報画像となる）。
【００６４】
画像合成部５は、計測描画オブジェクト生成部２にて生成されたデジタルメータと、情報画像生成部４にて生成された情報画像とを合成する。
【００６５】
表示部１０には、図８に示すような、情報画像を背景として、デジタルメータが表示される。
【００６６】
ステップＳ２２において、全体制御部３は、情報非表示の指示があるか否かを判断する。指示がある場合はステップＳ２３に移行する。一方、指示がない場合は処理を終了する（すなわち、表示部１０には、図８に示すようなデジタルメータが表示された状態となる）。
【００６７】
具体的には、全体制御部３は、例えば、操作入力部９を介してユーザからカメラ１１によって撮影された映像を表示部１０に表示させない旨の指示があるか否かを判断する。なお、ユーザによる操作に限らず、他の方法でカメラ１１によって撮影された映像を表示部１０に表示させない旨の指示があるか否かを判断してもよい。
【００６８】
ステップＳ２３において、全体制御部３は、アナログメータとデジタルメータとを表示する中間表示形態となるように計測描画オブジェクト生成部２を制御する。また、全体制御部３は、中間表示形態において、アナログメータがデジタルメータを表示領域外に押し出すように計測描画オブジェクト生成部２を制御する。
【００６９】
計測描画オブジェクト生成部２は、車両情報取得部７から取得した計測情報に基づいて、アナログメータとデジタルメータとを生成した後、アナログメータがデジタルメータを表示領域外に押し出すようにアナログメータおよびデジタルメータの表示位置を変更する。一方、情報画像生成部４は、映像入力部８に入力された映像に基づいて情報画像を生成する（ここでは、カメラ１１が撮影した映像が情報画像となる）。
【００７０】
画像合成部５は、計測描画オブジェクト生成部２にて生成されたアナログメータおよびデジタルメータと、情報画像生成部４にて生成された情報画像（カメラ１１が撮影した映像）とを合成する。
【００７１】
図１０，１１は、画像合成部５にて合成された後の画像を表示部１０に表示したときの一例を示す図である。
【００７２】
図１０に示すように、表示部１０には、情報画像を背景として、アナログメータとデジタルメータとが表示される。このとき、このとき、デジタルメータの表示位置は、図８のデジタルメータの表示位置と一致しており、アナログメータはデジタルメータよりも表示領域の内側（紙面左側）に位置している。
【００７３】
次いで、図１１に示すように、アナログメータおよびデジタルメータの表示位置は、図１０のアナログメータおよびデジタルメータの表示位置よりも右側（紙面右側）に移動している。このとき、デジタルメータの一部（デジタルメータの右部分）は、表示領域外に押し出されて非表示となっている。
【００７４】
図９に戻り、ステップＳ２４において、全体制御部３は、アナログメータを表示するアナログ表示形態（第１の表示形態）となるように計測描画オブジェクト生成部２を制御する。
【００７５】
計測描画オブジェクト生成部２は、車両情報取得部７から取得した計測情報に基づいてアナログメータを生成する。一方、情報画像生成部４は、予め定められた画像を生成する。ここで、予め定められた画像とは、表示部１０の表示領域内における予め定められた領域を、例えば予め定められた色で表示する、アナログメータの背景となる画像である。
【００７６】
画像合成部５は、計測描画オブジェクト生成部２にて生成されたアナログメータと、情報画像生成部４にて生成された予め定められた画像とを合成する。
【００７７】
表示部１０には、図４に示すように、矩形の予め定められた色表示よりなる予め定められた画像を背景として、アナログメータが表示される。
【００７８】
図９のステップＳ２４の後、処理を終了する（すなわち、表示部１０には、図４に示すようなアナログメータが表示された状態となる）。
【００７９】
次に、上記の図５〜７に示す中間表示形態を主とした変形例（変形例１〜３）について、図４，８，１２〜２１を参照して順に説明する。なお、変形例１〜３では、アナログメータを表示するアナログ表示形態（第１の表示形態）からデジタルメータを表示するデジタル表示形態（第２の表示形態）へ表示形態を変更する場合の中間表示形態について説明する。
【００８０】
＜変形例１＞
図１２〜１５は、表示制御装置１の表示の一例を示す図である。図１２〜１４は中間表示形態を示し、図１５はデジタル表示形態を示している。なお、アナログ表示形態は図４と同様である。
【００８１】
図４のアナログメータが表示された状態から、図１２に示すように、表示部１０には、アナログメータの下側（紙面下側）にデジタルメータが表示される。
【００８２】
次いで、図１３に示すように、アナログメータおよびデジタルメータの表示位置は、図１２のアナログメータおよびデジタルメータの表示位置よりも上側（紙面上側）に移動している。このとき、アナログメータの一部（アナログメータの上部分）は、表示領域外に押し出されて非表示となっている。
【００８３】
次いで、図１４に示すように、アナログメータおよびデジタルメータの表示位置は、図１３のアナログメータおよびデジタルメータの表示位置よりも上側に移動している。このとき、アナログメータの一部（アナログメータの上部分であって図１３よりも大きい）は、表示領域外に押し出されて非表示となっている。
【００８４】
図１４の後、図１５に示すように、表示領域の右上にデジタルメータが表示される。
【００８５】
なお、デジタルメータがアナログメータを表示領域外に押し出す方向は、上記に限らずいかなる方向であってもよい。また、計測情報の内容に応じて押し出す方向を変更するようにしてもよい。例えば、計測情報が速度に関する情報である場合は、デジタルメータの表示を表示領域の右上に移動させるようにしてもよい。すなわち、全体制御部３は、中間表示形態において、計測情報の内容に応じて押し出す方向を変更するように計測描画オブジェクト生成部２を制御する。このようにすることによって、表示形態を変更する際の視認性を向上させるとともに、運転者にとって背景の情報画像が見やすくなる。
【００８６】
＜変形例２＞
図１６〜１８は、表示制御装置１の表示の一例であり、中間表示形態を示している。なお、アナログ表示形態は図４と同様であり、デジタル表示形態は図８と同様である。
【００８７】
図４のアナログメータが表示された状態から、図１６に示すように、表示部１０には、アナログメータの外形枠の内側が無模様に塗りつぶして表示される。すなわち、全体制御部３は、中間表示形態において、アナログメータの外形枠内を無模様とするように計測描画オブジェクト生成部２を制御する。
【００８８】
ここで、アナログメータは計測情報をその中に表現する外形枠を有しており、アナログメータの外形枠はアナログメータの外形を示している。
【００８９】
次いで、図１７に示すように、アナログメータの外形枠およびデジタルメータの表示位置は、図１６のアナログメータの外形枠およびデジタルメータの表示位置よりも右側（紙面右側）に移動している。このとき、アナログメータの外形枠の大きさは、図１６のアナログメータの外形枠の大きさよりも縮小されている。
【００９０】
次いで、図１８に示すように、アナログメータの外形枠およびデジタルメータの表示位置は、図１７のアナログメータの外形枠およびデジタルメータの表示位置よりも右側に移動している。このとき、アナログメータの外形枠の大きさは、図１７のアナログメータの外形枠の大きさよりも縮小されている。また、アナログメータの外形枠の一部（アナログメータの外形枠の右部分）は、表示領域外に押し出されて非表示となっている。
【００９１】
このように、全体制御部３は、中間表示形態において、アナログメータの外形を徐々に縮小するように計測描画オブジェクト生成部２を制御する。
【００９２】
図１８の後、図８に示すように、デジタルメータが表示される。
【００９３】
上記のような表示を行うことによって、表示形態を変更する際の視認性を向上させるとともに、運転者に対して表示形態が変更される旨の注意を喚起することができる。
【００９４】
なお、上記では、アナログメータの外形枠を徐々に縮小する場合について説明したが、これに限るものではなく、アナログメータの外形枠を縮小しなくてもよい。
【００９５】
＜変形例３＞
図１９〜２１は、表示制御装置１の表示の一例であり、中間表示形態を示している。なお、アナログ表示形態は図４と同様であり、デジタル表示形態は図８と同様である。
【００９６】
図４のアナログメータが表示された状態から、図１９に示すように、表示部１０には、アナログメータとデジタルメータとが表示される。なお、図１９は図５に対応している。
【００９７】
次いで、図２０に示すように、アナログメータおよびデジタルメータの表示位置は、図１９のアナログメータおよびデジタルメータの表示位置よりも右側（紙面右側）に移動している。このとき、アナログメータの大きさは、図１９のアナログメータの大きさよりも縮小されている。
【００９８】
次いで、図２１に示すように、アナログメータおよびデジタルメータの表示位置は、図２０のアナログメータおよびデジタルメータの表示位置よりも右側に移動している。このとき、アナログメータの大きさは、図２０のアナログメータの大きさよりも縮小されている。また、アナログメータの一部（アナログメータの右部分）は、表示領域外に押し出されて非表示となっている。
【００９９】
図２１の後、図８に示すように、デジタルメータが表示される。
【０１００】
上記のような表示を行うことによって、表示形態を変更する際の視認性を向上させるとともに、運転者に対して表示形態が変更される旨の注意を喚起することができる。
【０１０１】
以上のことから、本実施の形態によれば、カメラ１１で撮影された映像を表示部１０に表示する際、中間表示形態においてアナログメータからデジタルメータに表示形態が変更されていることを容易に把握することができる。すなわち、表示形態を変更する際の視認性を向上させることが可能となる。
【０１０２】
以上で説明した表示制御装置は、車載用ナビゲーション装置、すなわちカーナビゲーション装置だけでなく、車両に搭載可能なＰＮＤ（Portable Navigation Device）および携帯通信端末（例えば携帯電話、スマートフォン、およびタブレット端末など）、並びにサーバなどを適宜に組み合わせてシステムとして構築されるナビゲーション装置にも適用することができる。この場合、表示制御装置の各機能あるいは各構成要素は、上記システムを構築する各機能に分散して配置される。
【０１０３】
具体的には、表示制御装置の機能を携帯通信端末、ＰＮＤ、あるいはサーバに配置することができる。例えば、図２２に示すように、自車両側に表示装置１２を配置し、サーバ側に表示装置１２に画像を表示するよう制御する表示制御装置１を配置することによって表示制御システムを構築することができる。サーバ側に配置される表示制御装置１は、少なくとも計測描画オブジェクト生成部２と、全体制御部３とを備えている。なお、計測描画オブジェクト生成部２および全体制御部３の機能は、図１の計測描画オブジェクト生成部２および全体制御部３の機能と同様である。また、サーバは、必要に応じて図２に示すような各構成要素を備えるようにしてもよい。
【０１０４】
上記の構成とした場合であっても、上記の実施の形態と同様の効果が得られる。
【０１０５】
また、上記の実施の形態における動作を実行するソフトウェア（表示制御方法）を、例えばサーバに組み込んでもよい。
【０１０６】
具体的には、上記の表示制御方法は、（ａ）自車両の走行に関する計測情報を示すアナログメータ（第１の計測描画オブジェクト）と、アナログメータと同一の計測情報であって、アナログメータとは異なる表現形式のデジタルメータ（第２の計測描画オブジェクト）とを生成する工程と、（ｂ）アナログメータを表示するアナログ表示形態（第１の表示形態）、デジタルメータを表示するデジタル表示形態（第２の表示形態）、およびアナログ表示形態とデジタル表示形態との間における遷移中の形態である中間表示形態のうちのいずれかの表示形態となるように工程（ａ）を制御する工程とを備え、工程（ｂ）は、予め定められた条件に応じて、中間表示形態において、アナログメータとデジタルメータとを生成した後、デジタルメータがアナログメータを表示領域外に押し出すように工程（ａ）を制御する。
【０１０７】
上記より、上記の実施の形態における動作を実行するソフトウェアをサーバに組み込んで動作させることによって、上記の実施の形態と同様の効果が得られる。
【０１０８】
なお、図１，２，２２において、計測描画オブジェクト生成部２、全体制御部３、情報画像生成部４、画像合成部５、表示信号出力部６、車両情報取得部７、および映像入力部８の各々は、ソフトウェアに基づくＣＰＵ（Central Processing Unit）を用いたプログラム処理を実行することによって実現される。また、可能であれば、計測描画オブジェクト生成部２、全体制御部３、情報画像生成部４、画像合成部５、表示信号出力部６、車両情報取得部７、および映像入力部８の各々を、ハードウェア（例えば、電気信号に対して特定の演算あるいは処理を行うように構成された演算／処理回路等）として構成するようにしてもよい。また、上記の両者を混在させてもよい。
【０１０９】
図１６〜１８では、アナログメータの外形枠の内側を無模様に塗りつぶしているが、このとき外形枠を変形させてもよい。すなわち、全体制御部３は、中間表示形態において、アナログメータの外形枠に対して予め定められた変形を加えるように計測描画オブジェクト生成部２を制御するようにしてもよい。なお、外形枠の形状は、任意の形状であってもよい。このようにすることによって、表示形態を変更する際の視認性を向上させるとともに、運転者に対して表示形態が変更される旨の注意を喚起することができる。
【０１１０】
実施の形態では、情報画像生成部４に入力される情報として、カメラ１１によって撮影された映像に関する情報について説明したが、これに限るものではない。
【０１１１】
例えば、自車両の経路誘導に関する情報であってもよい。ここで、経路誘導に関する情報とは、自車両を現在地から目的地まで経路誘導するための情報（地図に関する情報を含む）のことをいう。表示部１０には、経路誘導に関する情報が表示される。なお、経路誘導に関する情報は、例えばナビゲーション部（図示せず）にて算出された後に情報画像生成部４に入力するようにしてもよい。このような場合であっても、表示形態を変更する際の視認性を向上させることができる。
【０１１２】
また、他の例として、自車両内イベントに関する情報であってもよい。ここで、自車両内イベントとは、例えば、警報表示（燃料の残量が僅かである旨の表示など）、あるいは電話の着信などが挙げられる。表示部１０には、警報に関する情報や、電話の着信に関する情報が表示される。なお、警報に関する情報は、例えば車両情報取得部７を介して情報画像生成部４に入力するようにしてもよく、電話の着信は、通信部（図示せず）を介して情報画像生成部４に入力するようにしてもよい。このような場合であっても、表示形態を変更する際の視認性を向上させることができる。
【０１１３】
また、上記以外の自車両内イベントとしては、例えばＤＶＤ（Digital Versatile Disk）などの再生機を再生したとき、スマートフォンの画面で表示されている情報を表示部１０に表示するとき、あるいは外部（例えば、道路交通情報センターや道路交通情報通信システム（ＶＩＣＳ（登録商標）））から道路交通情報などが配信されたときなどが挙げられる。このような場合であっても、上記と同様の効果が得られる。
【０１１４】
なお、本発明は、その発明の範囲内において、実施の形態を適宜、変形、省略することが可能である。
【符号の説明】
【０１１５】
１  表示制御装置、２  計測描画オブジェクト生成部、３  全体制御部、４  情報画像生成部、５  画像合成部、６  表示信号出力部、７  車両情報取得部、８  映像入力部、９  操作入力部、１０  表示部、１１  カメラ、１２  表示装置。
【図１】
2015120404.tif 000003
【図２】
2015120404.tif 000004
【図３】
2015120404.tif 000005
【図４】
2015120404.tif 000006
【図５】
2015120404.tif 000007
【図６】
2015120404.tif 000008
【図７】
2015120404.tif 000009
【図８】
2015120404.tif 000010
【図９】
2015120404.tif 000011
【図１０】
2015120404.tif 000012
【図１１】
2015120404.tif 000013
【図１２】
2015120404.tif 000014
【図１３】
2015120404.tif 000015
【図１４】
2015120404.tif 000016
【図１５】
2015120404.tif 000017
【図１６】
2015120404.tif 000018
【図１７】
2015120404.tif 000019
【図１８】
2015120404.tif 000020
【図１９】
2015120404.tif 000021
【図２０】
2015120404.tif 000022
【図２１】
2015120404.tif 000023
【図２２】
2015120404.tif 000024